(57)【要約】【課題】  携帯用機器に対する視認性及び操作性の向上等を図る。【解決手段】  収納部１２に収納した携帯用機器５００から出力される音声又は画像の少なくとも一方を外部へ出力しケース体２と窓部３ａが形成された蓋体３と透明又は半透明のゴム材料によって形成され蓋体に窓部を閉塞した状態で取り付けられる操作シート３０とを設け、収納部は枠状の収納用リブ１３を有し、収納部に底面が載置面１４ａとされた収納凹部１４が形成され、操作シートに収納凹部を覆う表面部３１と収納用リブの外周面１３ｂを外側から覆う周面部３２とを設け、表面部のロック状態において載置面に対向する側の面の少なくとも一部に、載置面側に突出された複数のドット３４、３４、・・・を設け、複数のドット間のピッチを０．５ｍｍ以上１．５ｍｍ以下とし、複数のドットの載置面側への突出方向における高さを０．０１ｍｍ以上０．０５ｍｍ未満とした。【選択図】        図１４
2012045153.tif 000002
【特許請求の範囲】
【請求項１】
内部空間に携帯用機器を収納し収納した前記携帯用機器から出力される音声又は画像の少なくとも一方を外部へ出力し、
前記携帯用機器を収納する収納部を有するケース体と、
前記ケース体に対してロック可能とされ前記ケース体に対してロックされたロック状態において前記収納部を閉塞し前記ケース体に対するロックが解除されたロック解除状態において前記収納部を開放すると共に窓部が形成された蓋体と、
透明又は半透明のゴム材料によって形成され前記蓋体に前記窓部を閉塞した状態で取り付けられる操作シートとを備え、
前記収納部は枠状の収納用リブを有し、
前記収納部に前記収納用リブによって囲まれ底面が前記携帯用機器の載置面とされた収納凹部が形成され、
前記操作シートは前記ロック状態において前記収納用リブに外嵌されて前記収納凹部を閉塞し、
前記操作シートに、前記ロック状態において前記収納凹部を覆う表面部と、前記表面部の外周縁から立ち上げられ前記ロック状態において前記収納用リブの外周面を外側から覆う周面部とを設け、
前記表面部の前記ロック状態において前記載置面に対向する側の面の少なくとも一部に、前記載置面側に突出された複数のドットを設け、
前記複数のドット間のピッチを０．５ｍｍ以上１．５ｍｍ以下とし、
前記複数のドットの前記載置面側への突出方向における高さを０．０１ｍｍ以上０．０５ｍｍ未満とした
出力装置。
【請求項２】
前記ドットの外面を曲面に形成した
請求項１に記載の出力装置。
【請求項３】
前記ドットの外面を球面に形成した
請求項２に記載の出力装置。
【請求項４】
前記操作シートの表面部を、前記収納凹部の載置面に対向し前記携帯用機器を押さえる押さえ面部と、前記押さえ面部の両側の端縁にそれぞれ連続し前記押さえ面部から離隔するに従って前記載置面との距離が大きくなる二つの傾斜面部とによって構成し、
前記押さえ面部に前記複数のドットを設けた
請求項１に記載の出力装置。
【請求項５】
内部空間に携帯用機器を収納し収納した前記携帯用機器から出力される音声又は画像の少なくとも一方を外部へ出力し、枠状の収納用リブによって囲まれ底面が前記携帯用機器の載置面とされた収納凹部が形成され前記携帯用機器を収納する収納部を有するケース体と、前記ケース体に対してロック可能とされ前記ケース体に対してロックされたロック状態において前記収納部を閉塞し前記ケース体に対するロックが解除されたロック解除状態において前記収納部を開放すると共に窓部が形成された蓋体とを備えた出力装置に用いられ、
透明又は半透明のゴム材料によって形成され前記蓋体に前記窓部を閉塞した状態で取り付けられ、
前記ロック状態において前記収納用リブに外嵌されて前記収納凹部を閉塞し、
前記ロック状態において前記収納凹部を覆う表面部と、前記表面部の外周縁から立ち上げられ前記ロック状態において前記収納用リブの外周面を外側から覆う周面部とを設け、
前記表面部の前記ロック状態において前記載置面に対向する側の面の少なくとも一部に、前記載置面側に突出された複数のドットを設け、
前記複数のドット間のピッチを０．５ｍｍ以上１．５ｍｍ以下とし、
前記複数のドットの前記載置面側への突出方向における高さを０．０１ｍｍ以上０．０５ｍｍ未満とした
操作シート。
【発明の詳細な説明】
【技術分野】
【０００１】
本発明は出力装置及び操作シートについての技術分野に関する。詳しくは、ゴム材料によって形成された操作シートに複数のドットを設けて携帯用機器に対する視認性及び操作性の向上等を図る技術分野に関する。
【背景技術】
【０００２】
音楽再生装置や画像再生装置等の携帯用機器を内部空間に収納し収納した携帯用機器から出力される音声や画像を外部へ出力する出力装置がある。
【０００３】
このような出力装置には、ケース体に対して蓋体が開閉可能とされ、蓋体を開放した状態において内部空間に携帯用機器を装着し、蓋体をケース体に結合して携帯用機器を閉塞して内部空間に収納して保持するように構成されたものがある（例えば、特許文献１参照）。
【０００４】
特許文献１に記載された出力装置においては、ケース体に、例えば、携帯用機器から出力される音声を外部に出力するためのスピーカー部が設けられている。蓋体には窓部が形成され、窓部を覆うようにして可撓性を有する透明な操作シートが取り付けられている。
【０００５】
蓋体がケース体に結合された状態においては、ケース体に回動可能に支持されたバックルによって蓋体がケース体に対してロックされ内部空間が密閉されて防水性が図られる。ケース体に対して蓋体がロックされ携帯用機器が内部空間に収納された状態においては、操作シートが携帯用機器に押し付けられて携帯用機器が押さえられ、携帯用機器の内部空間における不必要な移動が防止される。
【０００６】
使用者は、外面側から操作シートとともに携帯用機器の操作部を操作することにより、例えば、携帯用機器から出力される音声を外部に出力することができる。
【０００７】
【特許文献１】特開２００７−３１３０２０号公報
【発明の開示】
【発明が解決しようとする課題】
【０００８】
ところが、特許文献１に記載された出力装置にあっては、操作シートの両面が平面状に形成されているため、操作シートによって携帯用機器が押さえられた状態において、操作シートの携帯用機器に対する接触面の一部に空気が侵入して気泡が生じたり、操作シートが携帯用機器の表示面に貼り付いてウォーターマークが生じてしまう。
【０００９】
これらの気泡やウォーターマークは操作シートを通して携帯用機器を視認しようとしたときに、表示面や操作部等の視認性を悪化させ、使用者による操作性を低減させてしまうことになる。
【００１０】
また、操作シートが携帯用機器に貼り付くと、蓋体の開放時に携帯用機器が操作シートに貼り付いたままの状態で持ち上げられ、蓋体の開閉動作に支障を来したり、貼り付いていた携帯用機器の落下による出力装置又は携帯用機器の破損を生じるおそれがある。
【００１１】
そこで、本発明出力装置及び操作シートは、上記した問題点を克服し、携帯用機器に対する視認性及び操作性の向上等を図ることを課題とする。
【課題を解決するための手段】
【００１２】
出力装置は、上記した課題を解決するために、内部空間に携帯用機器を収納し収納した前記携帯用機器から出力される音声又は画像の少なくとも一方を外部へ出力し、前記携帯用機器を収納する収納部を有するケース体と、前記ケース体に対してロック可能とされ前記ケース体に対してロックされたロック状態において前記収納部を閉塞し前記ケース体に対するロックが解除されたロック解除状態において前記収納部を開放すると共に窓部が形成された蓋体と、透明又は半透明のゴム材料によって形成され前記蓋体に前記窓部を閉塞した状態で取り付けられる操作シートとを備え、前記収納部は枠状の収納用リブを有し、前記収納部に前記収納用リブによって囲まれ底面が前記携帯用機器の載置面とされた収納凹部が形成され、前記操作シートは前記ロック状態において前記収納用リブに外嵌されて前記収納凹部を閉塞し、前記操作シートに、前記ロック状態において前記収納凹部を覆う表面部と、前記表面部の外周縁から立ち上げられ前記ロック状態において前記収納用リブの外周面を外側から覆う周面部とを設け、前記表面部の前記ロック状態において前記載置面に対向する側の面の少なくとも一部に、前記載置面側に突出された複数のドットを設け、前記複数のドット間のピッチを０．５ｍｍ以上１．５ｍｍ以下とし、前記複数のドットの前記載置面側への突出方向における高さを０．０１ｍｍ以上０．０５ｍｍ未満としたものである。
【００１３】
従って、出力装置にあっては、ロック状態において携帯用機器に操作シートの複数のドットの各先端又は各先端部が接触される。
【００１４】
上記した出力装置においては、前記ドットの外面を曲面に形成することが望ましい。
【００１５】
ドットの外面を曲面に形成することにより、携帯用機器との接触状態が点接触又は点接触に近い状態での接触となる。
【００１６】
上記した出力装置においては、前記ドットの外面を球面に形成することが望ましい。
【００１７】
ドットの外面を球面に形成することにより、携帯用機器との接触状態が点接触又は点接触に近い状態での接触となる。
【００１８】
上記した出力装置においては、前記操作シートの表面部を、前記収納凹部の載置面に対向し前記携帯用機器を押さえる押さえ面部と、前記押さえ面部の両側の端縁にそれぞれ連続し前記押さえ面部から離隔するに従って前記載置面との距離が大きくなる二つの傾斜面部とによって構成し、前記押さえ面部に前記複数のドットを設けることが望ましい。
【００１９】
押さえ面部に複数のドットを設けることにより、ドットが必要最小限の位置に設けられる。
【００２０】
操作シートは、上記した課題を解決するために、内部空間に携帯用機器を収納し収納した前記携帯用機器から出力される音声又は画像の少なくとも一方を外部へ出力し、枠状の収納用リブによって囲まれ底面が前記携帯用機器の載置面とされた収納凹部が形成され前記携帯用機器を収納する収納部を有するケース体と、前記ケース体に対してロック可能とされ前記ケース体に対してロックされたロック状態において前記収納部を閉塞し前記ケース体に対するロックが解除されたロック解除状態において前記収納部を開放すると共に窓部が形成された蓋体とを備えた出力装置に用いられ、透明又は半透明のゴム材料によって形成され前記蓋体に前記窓部を閉塞した状態で取り付けられ、前記ロック状態において前記収納用リブに外嵌されて前記収納凹部を閉塞し、前記ロック状態において前記収納凹部を覆う表面部と、前記表面部の外周縁から立ち上げられ前記ロック状態において前記収納用リブの外周面を外側から覆う周面部とを設け、前記表面部の前記ロック状態において前記載置面に対向する側の面の少なくとも一部に、前記載置面側に突出された複数のドットを設け、前記複数のドット間のピッチを０．５ｍｍ以上１．５ｍｍ以下とし、前記複数のドットの前記載置面側への突出方向における高さを０．０１ｍｍ以上０．０５ｍｍ未満としたものである。
【００２１】
従って、操作シートにあっては、ロック状態において携帯用機器に複数のドットの各先端又は各先端部が接触される。
【発明の効果】
【００２２】
本発明出力装置は、内部空間に携帯用機器を収納し収納した前記携帯用機器から出力される音声又は画像の少なくとも一方を外部へ出力し、前記携帯用機器を収納する収納部を有するケース体と、前記ケース体に対してロック可能とされ前記ケース体に対してロックされたロック状態において前記収納部を閉塞し前記ケース体に対するロックが解除されたロック解除状態において前記収納部を開放すると共に窓部が形成された蓋体と、透明又は半透明のゴム材料によって形成され前記蓋体に前記窓部を閉塞した状態で取り付けられる操作シートとを備え、前記収納部は枠状の収納用リブを有し、前記収納部に前記収納用リブによって囲まれ底面が前記携帯用機器の載置面とされた収納凹部が形成され、前記操作シートは前記ロック状態において前記収納用リブに外嵌されて前記収納凹部を閉塞し、前記操作シートに、前記ロック状態において前記収納凹部を覆う表面部と、前記表面部の外周縁から立ち上げられ前記ロック状態において前記収納用リブの外周面を外側から覆う周面部とを設け、前記表面部の前記ロック状態において前記載置面に対向する側の面の少なくとも一部に、前記載置面側に突出された複数のドットを設け、前記複数のドット間のピッチを０．５ｍｍ以上１．５ｍｍ以下とし、前記複数のドットの前記載置面側への突出方向における高さを０．０１ｍｍ以上０．０５ｍｍ未満としている。
【００２３】
従って、操作シートと携帯用機器の間に気泡やウォーターマークが生じないため、携帯用機器の良好な視認性を確保することができ、使用者による視認性及び操作性の向上を図ることができる。
【００２４】
また、操作シートの携帯用機器に対する貼り付きが防止されるため、蓋体の開放時に携帯用機器が操作シートに貼り付いたまま持ち上げられることがなく、貼り付き後の携帯用機器の落下を防止して出力装置及び携帯用機器の破損を防止することができる。
【００２５】
請求項２に記載した発明にあっては、前記ドットの外面を曲面に形成している。
【００２６】
従って、操作シートと携帯用機器の接触状態が点接触又は点接触に近い状態での接触となり、気泡やウォーターマークの発生を確実に防止することができる。
【００２７】
請求項３に記載した発明にあっては、前記ドットの外面を球面に形成している。
【００２８】
従って、操作シートと携帯用機器の接触状態が点接触又は点接触に近い状態での接触となり、気泡やウォーターマークの発生を確実に防止することができると共に操作シートの成形を容易に行うことができる。
【００２９】
請求項４に記載した発明にあっては、前記操作シートの表面部を、前記収納凹部の載置面に対向し前記携帯用機器を押さえる押さえ面部と、前記押さえ面部の両側の端縁にそれぞれ連続し前記押さえ面部から離隔するに従って前記載置面との距離が大きくなる二つの傾斜面部とによって構成し、前記押さえ面部に前記複数のドットを設けている。
【００３０】
従って、ドットが必要最小限の位置に設けられ、気泡やウォーターマークの発生を防止する機能を損なうことなく操作シートの成形性の向上を図ることができる。
【００３１】
本発明操作シートは、内部空間に携帯用機器を収納し収納した前記携帯用機器から出力される音声又は画像の少なくとも一方を外部へ出力し、枠状の収納用リブによって囲まれ底面が前記携帯用機器の載置面とされた収納凹部が形成され前記携帯用機器を収納する収納部を有するケース体と、前記ケース体に対してロック可能とされ前記ケース体に対してロックされたロック状態において前記収納部を閉塞し前記ケース体に対するロックが解除されたロック解除状態において前記収納部を開放すると共に窓部が形成された蓋体とを備えた出力装置に用いられ、透明又は半透明のゴム材料によって形成され前記蓋体に前記窓部を閉塞した状態で取り付けられ、前記ロック状態において前記収納用リブに外嵌されて前記収納凹部を閉塞し、前記ロック状態において前記収納凹部を覆う表面部と、前記表面部の外周縁から立ち上げられ前記ロック状態において前記収納用リブの外周面を外側から覆う周面部とを設け、前記表面部の前記ロック状態において前記載置面に対向する側の面の少なくとも一部に、前記載置面側に突出された複数のドットを設け、前記複数のドット間のピッチを０．５ｍｍ以上１．５ｍｍ以下とし、前記複数のドットの前記載置面側への突出方向における高さを０．０１ｍｍ以上０．０５ｍｍ未満としている。
【００３２】
従って、操作シートと携帯用機器の間に気泡やウォーターマークが生じないため、携帯用機器の良好な視認性を確保することができ、使用者による視認性及び操作性の向上を図ることができる。
【００３３】
また、操作シートの携帯用機器に対する貼り付きが防止されるため、蓋体の開放時に携帯用機器が操作シートに貼り付いたまま持ち上げられることがなく、貼り付き後の携帯用機器の落下を防止して出力装置及び携帯用機器の破損を防止することができる。
【発明を実施するための最良の形態】
【００３４】
以下に、本発明を実施するための最良の形態を添付図面に従って説明する。
【００３５】
本発明出力装置は、例えば、内部空間に収納した携帯用機器から出力される音声や画像を外部へ出力する装置であり、ケース体とケース体に対してヒンジ部を介して回動可能に連結された蓋体とを有している。
【００３６】
以下の説明においては、説明の便宜上、出力装置の通常の使用状態において方向を示すものとし、携帯用機器が内部空間に収納された状態において、ケース体が位置する側を後方、蓋体が位置する側を前方とする。また、ヒンジ部が下方に位置され、スピーカー部が左右に位置されているものとして方向を示す。
【００３７】
尚、以下に示す上下前後左右の方向は、説明の便宜上示すものであり、本発明はこれらの方向に限定して適用されることはない。
【００３８】
＜出力装置の構成＞
出力装置１は、図１乃至図４に示すように、ケース体２と蓋体３が下端部に設けられたヒンジ部４を介して連結され、蓋体３はケース体２に対してヒンジ部４を介して回動可能とされている。
【００３９】
ケース体２は、例えば、外形が稍横長の長円状に形成され、外周面から後面の外周部に亘る部分は外方へ凸の曲面状に形成されている（図２参照）。ケース体の上面には左右に離隔して操作釦５、５が配置されている（図１及び図２参照）。操作釦５、５は、例えば、後述する携帯用機器から出力される音声の音量を調整する音量調整釦として機能する。
【００４０】
ケース体２の背面側の下端部にはスタンド６が回動可能に連結されている（図２参照）。スタンド６は上端部がケース体２に連結されている。スタンド６を回動させてケース体２から引き出すことにより出力装置１を縦置き状態で載置することができる（図５参照）。
【００４１】
ケース体２の左右両側部における上方側の部分にはそれぞれ浅い配置用切欠２ａ、２ａが形成されている（図６参照）。ケース体２の左右両側部における上方側の部分にはそれぞれバックル７、７が回動自在に支持されている。バックル７、７はロック位置（図１及び図２参照）とロック解除位置（図４及び図６参照）の間で回動可能とされ、ロック位置においてそれぞれ前端部を除く部分が配置用切欠２ａ、２ａに収納される。
【００４２】
バックル７は本体８と本体８の前端部における上下両端部（周方向における両端部）から内方へ突出された係止爪９、９と本体８の内面側に設けられた支点軸部１１、１１とが一体に形成されて成る（図４、図７、図８及び図９参照）。
【００４３】
係止爪９は、例えば、三角形状に形成され、本体８に対して弾性変形可能とされ、先端部の後面に後方へ突出された係止突部１０が設けられている（図８及び図９参照）。係止突部１０は先端側に位置し本体８に近付くに従って後方へ変位するように傾斜する第１の傾斜面１０ａと第１の傾斜面１０ａに連続し本体８に近付くに従って前方へ変位するように傾斜する第２の傾斜面１０ｂとを有している。
【００４４】
バックル７、７は、ロック位置にある状態において外面がケース体２の外面に連続するように位置され（図５及び図９参照）、ロック解除位置にある状態において前端部がケース体２の外面より外側に位置される（図６及び図８参照）。
【００４５】
ケース体２の前面２ｂには左右方向における中央部に収納部１２が設けられている（図４及び図７参照）。収納部１２には縦長の略矩形の枠状に形成された収納用リブ１３が設けられ、収納用リブ１３の内部が収納凹部１４として形成されている。
【００４６】
収納用リブ１３は上下に離隔して位置され左右に延びる第１の規制壁１５、１５と左右に離隔して位置され上下に延びる第２の規制壁１６、１６とから成る。第１の規制壁１５、１５はケース体２の前面２ｂからの前方への突出量（高さ）が一定とされ、第２の規制壁１６、１６はケース体２の前面２ｂからの前方への突出量が上下方向における中央部から上下に行くに従って大きくなるようにされている。
【００４７】
収納用リブ１３は外面が前方を向く先端面１３ａと先端面１３ａの外縁に連続する外周面１３ｂと先端面１３ａの内縁に連続する内周面１３ｃとによって構成されている。第２の規制壁１６、１６の上下方向における中央部にはそれぞれ取出用凹部１６ａ、１６ａが形成されている。取出用凹部１６ａ、１６ａは収納凹部１４に連通され、先端面１３ａが後方へ凸の略円弧状に形成されている。
【００４８】
収納用リブ１３においては、図４に示すように、第１の規制壁１５、１５の先端面１３ａの幅（上下の幅Ｈ１）が第２の規制壁１６、１６の先端面１３ａの幅（左右の幅Ｈ２）より小さくされている。
【００４９】
このように第１の規制壁１５、１５の先端面１３ａの幅Ｈ１を小さくすることにより、上下方向が長手方向とされている収納用リブ１３の長手方向の大きさを最小限にして出力装置１の小型化を図ることができる。
【００５０】
また、収納用リブ１３の内周面１３ｃと携帯用機器５００（図１０参照）の外周面との間隔は、携帯用機器５００の大きさを考慮すると、第２の規制壁１６、１６との左右方向における間隔が第１の規制壁１５、１５との上下方向における間隔より小さくなり易い。従って、携帯用機器５００との接触が第２の規制壁１６、１６の方が第１の規制壁１５、１５よりも生じる可能性が高く、第２の規制壁１６、１６の先端面１３ａの幅Ｈ２を大きくすることにより、第２の規制壁１６、１６の剛性を高め携帯用機器５００との接触時における損傷の防止を図ることができる。
【００５１】
収納凹部１４は収納用リブ１３の内周面１３ｃと底面である前方を向く載置面１４ａとによって形成されている（図４及び図７参照）。
【００５２】
ケース体２には電池装着部２ｃが設けられており（図８及び図９参照）、電池装着部２ｃは電池蓋１７によって閉塞されている（図７乃至図９参照）。電池蓋１７は収納凹部１４の略上半部に配置され、電池蓋１７の前面が載置面１４ａの一部として形成されている。使用者は電池蓋１７を開放することにより電池装着部２ｃに電池２００、２００、・・・を装着することができる。
【００５３】
電池蓋１７には前方に開口された浅い取付用凹部１７ａが形成されている（図７参照）。電池蓋１７の取付用凹部１７ａにはゴム材料、例えば、シリコンゴムによって形成された滑り止めシート１８が取り付けられる。収納凹部１４に滑り止めシート１８を配置することにより、収納凹部１４に収納される携帯用機器５００の滑りが防止され、収納凹部１４における携帯用機器５００の収納状態の安定性を図ることができる。
【００５４】
滑り止めシート１８は取付用凹部１７ａに対して着脱可能とされ、滑り止めシート１８を取付用凹部１７ａから取り外すことにより滑り止めシート１８を洗浄することが可能である。
【００５５】
収納凹部１４には電池蓋１７の下側に、前方に開口されたケーブル配置溝１４ｂと前方に開口されたコネクター配置溝１４ｃとが上下に連続して形成されている。
【００５６】
ケーブル配置溝１４ｂにはケーブル３００が配置されており、ケーブル３００は一端部がケース体２の内部に配置された図示しない回路基板に接続されている。ケーブル３００の他端部はコネクター４００に接続され、コネクター４００はコネクター配置溝１４ｃに配置される。
【００５７】
コネクター４００とケーブル３００はそれぞれコネクター配置溝１４ｃとケーブル配置溝１４ｂから前方へ引き出すことが可能であり（図１０参照）、コネクター４００とケーブル３００を引き出すことにより携帯用機器５００の接続端子部５０１へのコネクター４００の接続を容易に行うことができる。
【００５８】
ケース体２の前面２ｂにおける収納用リブ１３の外周側には枠状の防水用リブ１９が設けられている。防水用リブ１９はケース体２からの突出量が僅かな量とされ、縦長の略矩形状に形成されている。
【００５９】
ケース体２の前面２ｂには収納部１２の左右にそれぞれスピーカー配置部２０、２０が前方へ突出した状態で設けられている。スピーカー配置部２０、２０には音声を出力するための出力孔２０ａ、２０ａ、・・・が形成されている。スピーカー配置部２０、２０の内部にはそれぞれスピーカー２１、２１やアンプ回路等の音声出力用の各部が配置されている。
【００６０】
尚、出力装置１にあっては、出力孔２０ａ、２０ａ、・・・がケース体２の内部に連通されているが、ケース体２の内部には出力孔２０ａ、２０ａ、・・・からケース体２の内部に配置された各部への水分の侵入が防止されるような図示しない防水構造が設けられている。
【００６１】
蓋体３はケース体２と同様に外形が稍横長の長円状に形成され、外周面から前面の外周部に亘る部分は外方へ凸の曲面状に形成されている（図１参照）。
【００６２】
蓋体３の左右方向における中央部には前後に貫通された縦長の窓部３ａが形成され、窓部３ａはケース体２の収納用リブ１３の外形と略同じ大きさ及び形状に形成されている。
【００６３】
蓋体３には窓部３ａの左右にそれぞれ音声出力孔３ｂ、３ｂ、・・・が形成されている。蓋体３の後面側には、図４に示すように、窓部３ａの左右にそれぞれ後方に開口された凹部３ｃ、３ｃが形成され、音声出力孔３ｂ、３ｂ、・・・が凹部３ｃ、３ｃに連通されている。
【００６４】
蓋体３の左右両側部における上方側の部分には、図４、図８及び図９に示すように、それぞれ浅い切欠部３ｄ、３ｄが形成され、蓋体３における切欠部３ｄ、３ｄが形成された部分はそれぞれ係合部２２、２２として設けられている。
【００６５】
係合部２２の上下両端部（周方向における両端部）にはそれぞれ外方へ突出された被係止片２３、２３が設けられている。被係止片２３、２３は先端が蓋体３の外周面より内側に位置されている。
【００６６】
被係止片２３は弾性変形可能とされ、先端部の前面に前方へ突出された被係止突部２４が設けられている（図８及び図９参照）。被係止突部２４は先端側に位置し先端から遠去かるに従って前方へ変位するように傾斜する第１の斜面２４ａと第１の斜面２４ａに連続し先端から遠去かるに従って後方へ変位するように傾斜する第２の斜面２４ｂとを有している。
【００６７】
蓋体３の背面側には、図１１に示すように、窓部３ａの外周側にそれぞれ枠状の内側壁部２５と外側壁部２６が設けられ、外側壁部２６は内側壁部２５の外周側に一定の間隔で離隔して設けられている。内側壁部２５と外側壁部２６の間の空間は後方に開口された保持溝２７として形成されている。
【００６８】
蓋体３の背面側には外側壁部２６の上下に第１の取付溝２８、２８が形成され、第１の取付溝２８、２８はそれぞれ左右に延び後方に開口されている。また、蓋体３の背面側には外側壁部２６の左右に第２の取付溝２９、２９、・・・が形成され、第２の取付溝２９、２９、・・・はそれぞれ上下に延び後方に開口されている。
【００６９】
蓋体３には操作シート３０が取り付けられる（図４参照）。操作シート３０は透明又は半透明のゴム材料、例えば、シリコンゴムによって形成されている。操作シート３０は、図１２及び図１３に示すように、縦長の略矩形状に形成された表面部３１と表面部３１の外周縁から後方へ立ち上げられた周面部３２と周面部３２の後縁から外方へ貼り出されたフランジ部３３とが一体に形成されて成る。
【００７０】
表面部３１は、上下方向における中央に位置する略３分の１の部分が前後方向を向く平板状の押さえ面部３１ａとして設けられ、押さえ面部３１ａの上下に位置する部分がそれぞれ押さえ面部３１ａから離隔するに従って前方へ変位するように緩やかに傾斜された傾斜面部３１ｂ、３１ｃとして設けられている。
【００７１】
周面部３２は後方へ行くに従って外側へ緩やかに変位するように傾斜され、前端の外周より後端の外周が一回り大きくされている。
【００７２】
フランジ部３３は、前後方向を向くベース部３３ａと、ベース部３３ａからそれぞれ前方へ突出された環状の内側突条３３ｂ及び外側突条３３ｃと、ベース部３３ａからそれぞれ前方へ突出された第１の被取付突部３３ｄ、３３ｄ及び第２の被取付突部３３ｅ、３３ｅ、・・・とから成る。内側突条３３ｂは周面部３２の外側に周面部３２と一定の間隔を有した状態で位置され、外側突条３３ｃは内側突条３３ｂの外側に内側突条３３ｂと一定の間隔を有した状態で位置されている。第１の被取付突部３３ｄ、３３ｄはそれぞれ外側突条３３ｃの上下に位置され、外側突条３３ｃと離隔し左右方向に延びる状態で設けられている。第２の被取付突部３３ｅ、３３ｅ、・・・はそれぞれ外側突条３３ｃの左右に位置され、外側突条３３ｃと離隔し上下に延びる状態で設けられている。
【００７３】
表面部３１の後面には複数のドット３４、３４、・・・が一体に形成されている（図１４及び図１５参照）。表面部３１の後面は、後述するように、蓋体３がケース体２に対してロックされた状態において、収納部１２に収納された携帯用機器５００に接触する面である。
【００７４】
ドット３４、３４、・・・は、例えば、規則的に配列され、球の外周部の一部を為す形状に形成され、外面が球面にされている。
【００７５】
操作シート３０においては、ドット３４、３４間のピッチＰ（図１４参照）が、例えば、０．５ｍｍ以上１．５ｍｍ以下とされ、ドット３４の突出方向における高さＴ（図１５参照）が、例えば、０．０１ｍｍ以上０．０５ｍｍ未満とされている。
【００７６】
尚、ドット３４、３４、・・・の規則的な配列の状態としては、例えば、縦横に同じ位置において隣接する配列状態（図１４参照）でもよく、また、一段又は一行ずつ半径分ずれた配列状態（図１６参照）でもよい。さらには、所定の間隔で離隔された配列状態（図１７参照）でもよい。
【００７７】
また、上記にはドット３４、３４、・・・が球の外周部の一部を為す形状に形成された例を示したが、ドットの形状はこれに限られることはない。表面部３１に設けられるドットは、携帯用機器５００が収納部１２に収納された状態において表面部３１が携帯用機器５００に接触されたときに、点接触又は点接触に近い状態で接触される形状であれば任意の形状に形成することが可能である。
【００７８】
例えば、図１８に示すように、外面が曲面に形成された楕円形状のドット３４Ａ、３４Ａ、・・・であってもよく、また、図１９に示すように、角錐形状のドット３４Ｂ、３４Ｂ、・・・であってもよい。
【００７９】
また、ドット３４、３４、・・・、ドット３４Ａ、３４Ａ、・・・及びドット３４Ｂ、３４Ｂ、・・・は表面部３１の後面の全体に設けられていなくてもよく、表示部３１の後面における少なくとも押さえ面部３１ａに設けられていればよい。
【００８０】
操作シート３０は窓部３ａの背面側から表面部３１と周面部３２が挿入される（図２０及び図２１参照）。操作シート３０は、保持溝２７に内側突条３３ｂと外側突条３３ｃが嵌合され、第１の取付溝２８、２８にそれぞれ第１の被取付突部３３ｄ、３３ｄが嵌合され、第２の取付溝２９、２９、・・・にそれぞれ第２の被取付突部３３ｅ、３３ｅ、・・・が嵌合されることにより蓋体３に取り付けられる。
【００８１】
＜蓋体の開閉動作＞
以下に、蓋体３の開閉動作について説明する。
【００８２】
蓋体３が開放されている状態においては、収納部１２の収納凹部１４に携帯用機器５００が挿入されて配置される（図２２参照）。携帯用機器５００を収納凹部１４に配置するときには、接続端子部５０１にコネクター４００を接続する。このとき、上記したように、コネクター４００とケーブル３００をそれぞれコネクター配置溝１４ｃとケーブル配置溝１４ｂから前方へ引き出すことが可能であるため、接続端子部５０１へのコネクター４００の接続を容易に行うことができる。
【００８３】
収納凹部１４に配置された携帯用機器５００は、画像や文字を表示する表示面５０２及び所定の操作を行う操作部５０３が前方を向いた状態で載置面１４ａに載置される。携帯用機器５００が載置面１４ａに載置された状態においては、電池蓋１７に取り付けられた滑り止めシート１８によって携帯用機器５００の滑りが防止され、携帯用機器５００の配置状態が安定する。
【００８４】
蓋体３が開放された開放位置においては、ケース体２に支持されたバックル７、７がロック解除位置に回動されている。
【００８５】
蓋体３がヒンジ部４を支点として閉塞位置まで回動されると、操作シート３０がケース体２の収納用リブ１３に外嵌され（図２０及び図２１参照）、操作シート３０によって収納凹部１４及び収納凹部１４に配置された携帯用機器５００が閉塞される。
【００８６】
操作シート３０が収納用リブ１３に外嵌された状態においては、表面部３１の外周部が収納用リブ１３の先端面１３ａに当接又は近接して位置され、周面部３２が収納用リブ１３の外周面１３ｂに当接又は近接して位置される。
【００８７】
操作シート３１のフランジ部３３はベース部３３ａの後面がケース体２の前面２ｂに押し付けられた状態とされる。このときフランジ部３３はベース部３３ａの内側突条３３ｂと外側突条３３ｃの間の部分が防水用リブ１９に押し付けられ、収納凹部１４の防水性が図られる。防水用リブ１９に押し付けられるベース部３３ａの部分は、内側突条３３ｂと外側突条３３ｃの間の弾性変形を生じ易い部分であるため、防水用リブ１９との密着性が良好であり、収納凹部１４及び収納凹部１４に配置された携帯用機器５００を確実に防水することができる。
【００８８】
蓋体３が閉塞位置に回動された状態においては、操作シート３０の表面部３１の一部を除く部分、例えば、押さえ面部３１ａ又は押さえ面部３１ａと傾斜面部３１ｂ、３１ｃの一部とによって携帯用機器５００が押さえられる（図２０参照）。従って、携帯用機器５００の収納凹部１４内における移動が規制され、携帯用機器５００の収納凹部１４内における安定した収納状態を確保することができる。
【００８９】
このとき、上記したように、携帯用機器５００は操作シート３０の押さえ面部３１ａ又は押さえ面部３１ａと傾斜面部３１ｂ、３１ｃの一部とによって押さえられるため、傾斜面部３１ｂ、３１ｃの全部又は一部が携帯用機器５００とは接触しない状態とされている。
【００９０】
出力装置１にあっては、収納用リブ１３によって収納部１２の大きさを一定の大きさに規定し、収納用リブ１３の大きさ及び形状に合わせて操作シート３０が表面部３１と周面部３２を有する箱状に形成されている。従って、収納部１２及び蓋体３の窓部３ａが必要最小限の大きさに形成され、出力装置１の小型化を図ることができる。
【００９１】
また、収納部１２に前面２ｂから前方へ突出された収納用リブ１３を設けているため、例えば、前面１２ｂに水分が付着したときの収納凹部１４への水分の侵入が防止され、防水性の向上を図ることができる。
【００９２】
さらに、収納凹部１４に収納された携帯用機器５００が、例えば、衝撃や振動等によって位置が移動された場合においても、移動された携帯用機器５００が収納用リブ１３に接して移動が規制される。従って、衝撃や振動等が生じた場合においても、操作シート３０の表面部３１に携帯用機器５００が押さえられた状態を維持することができる。
【００９３】
上記したように、操作シート３０の表面部３１にはドット３４、３４、・・・が設けられているため、携帯用機器５００が操作シート３０の表面部３１によって押さえられた状態において、携帯用機器５００の前面にドット３４、３４、・・・が点接触又は点接触に近い状態で接触される（図２３参照）。
【００９４】
従って、操作シート３０によって携帯用機器５００が押さえられた状態において、操作シート３０の携帯用機器５００に対する接触面の一部に空気が侵入して気泡が生じることがなく、また、操作シート３０が携帯用機器５００の表示面５０２に貼り付いてウォーターマークが生じてしまうことがない。このように操作シート３０と携帯用機器５００の間には気泡やウォーターマークが生じないため、表示面５０２や操作部５０３の良好な視認性を確保することができ、使用者による視認性及び操作性の向上を図ることができる。
【００９５】
また、操作シート３０の携帯用機器５００に対する貼り付きが防止されるため、蓋体３の開放時に携帯用機器５００が操作シート３０に貼り付いたまま持ち上げられることがない。従って、蓋体３の円滑な開閉動作を確保することができると共に貼り付き後の携帯用機器５００の落下を防止して出力装置１及び携帯用機器５００の破損を防止することができる。
【００９６】
さらに、操作シート３０にあっては、ドット３４、３４、・・・の外面が曲面に形成されているため、携帯用機器５００との接触状態が点接触又は点接触に近い状態での接触となり、気泡やウォーターマークの発生を確実に防止することができる。特に、ドット３４、３４、・・・の外面を球面に形成することにより、気泡やウォーターマークの発生を確実に防止することができると共に操作シート３０の成形を容易に行うことができる。
【００９７】
さらにまた、操作シート３０の押さえ面部３１ａにのみドット３４、３４、・・・を設けることにより、ドット３４、３４、・・・が必要最小限の位置に設けられ、気泡やウォーターマークの発生を防止する機能を損なうことなく操作シート３０の成形性の向上を図ることができる。
【００９８】
蓋体３が閉塞位置に回動された状態において、バックル７、７をロック解除位置からロック位置へ向けて回動させることにより、以下のように蓋体３がケース体２に対して閉塞位置においてロックされる（図２４乃至図２６参照）。
【００９９】
バックル７がロック解除位置からロック位置へ向けて回動されていくと、バックル７の係止爪９に設けられた係止突部１０の第１の傾斜面１０ａが蓋体３の被係止片２３に設けられた被係止突部２４の第１の斜面２４ａに接する（図２４参照）。
【０１００】
さらにバックル７がロック位置へ向けて回動されていくと、係止突部１０の第１の傾斜面１０ａと被係止突部２４の第１の斜面２４ａとが摺動され、係止爪９と被係止片２３が弾性変形されて係止爪９が被係止片２３に乗り上げる（図２５参照）。
【０１０１】
バックル７がさらにロック位置へ向けて回動されていくと、係止突部１０の第２の傾斜面１０ｂと被係止突部２４の第２の斜面２４ｂとが摺動され、係止爪９と被係止片２３が弾性復帰されて係止突部１０の第２の傾斜面１０ｂと被係止突部２４の第２の斜面２４ｂとが係合される（図２６参照）。係止突部１０の第２の傾斜面１０ｂと被係止突部２４の第２の斜面２４ｂとが係合されることにより、バックル７がロック位置に至り、蓋体３がケース体２に対してロックされる。
【０１０２】
上記のように蓋体３がケース体２に対してロックされると、操作シート３１のフランジ部３３がケース体２の前面２ｂにおける収納用リブ１３の周囲の部分に押し付けられ、収納部１２に対する良好な防水性が確保される。
【０１０３】
蓋体３がケース体２に対してロックされた状態において、操作シート３０によって収納凹部１４の載置面１４ａに押し付けられている携帯用機器５００の操作部５０３に対して指１００によって操作を行う（図２７参照）。携帯用機器５００の操作部５０３に対する操作により、例えば、コネクター４００を介して携帯用機器５００からの音声の出力がスピーカー２１、２１に送出され、スピーカー２１、２１から音声が出力される。スピーカー２１、２１から出力された音声は、ケース体２のスピーカー配置部２０、２０に形成された出力孔２０ａ、２０ａ、・・・及び蓋体３に形成された音声出力孔３ｂ、３ｂ、・・・を介して外部へ出力される。
【０１０４】
また、携帯用機器５００の表示面５０２に表示された（出力された）画像が操作シート３０の表面部３１を透過されて外部へ出力される。
【０１０５】
蓋体３がケース体２に対してロックされた状態において、バックル７、７をロック位置からロック解除位置へ向けて回動させることにより、蓋体３のケース体２に対するロックが解除される。
【０１０６】
バックル７のロック位置からロック解除位置までの回動動作は、ロック解除位置からロック位置までの回動動作と逆の動作である。即ち、蓋体３のケース体２に対するロックの解除は、バックル７がロック位置からロック解除位置へ向けて回動されて係止爪９と被係止片２３が弾性変形され係止爪９が被係止片２３に乗り上げ、さらにバックル７がロック解除位置へ向けて回動されて係止爪９と被係止片２３が弾性復帰されることにより行われる。
【０１０７】
蓋体３のケース体２に対するロックが解除された状態において、蓋体３を閉塞位置から開放位置まで回動させることにより収納凹部１４から携帯用機器５００を取り出すことができる。
【０１０８】
収納凹部１４からの携帯用機器５００の取出は、収納用リブ１３の第２の規制壁１６、１６にそれぞれ形成された取出用凹部１６ａ、１６ａからそれぞれ２本の指を収納凹部１４に挿入し、携帯用機器５００を左右両側から把持することにより容易に行うことが可能である。
【０１０９】
このように収納用リブ１３には取出用凹部１６ａ、１６ａが形成されているため、収納凹部１４からの携帯用機器５００の取出が容易であり、出力装置１の使い勝手の向上を図ることができる。
【０１１０】
＜その他＞
上記には、ケース体２に一対のバックル７、７が回動自在に支持され、蓋体３にバックル７、７と係合される係合部２２、２２が設けられた構成を示したが、逆に、蓋体に一対のバックルが回動自在に支持され、ケース体にバックルと係合される係合部が設けられるようにしてもよい。
【０１１１】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１１２】
【図１】出力装置を示す斜視図である。
【図２】出力装置を図１とは反対方向から見た状態で示す斜視図である。
【図３】出力装置を蓋体が開放された状態で示す斜視図である。
【図４】出力装置を蓋体が開放位置にある状態で示す斜視図である。
【図５】バックルがロック位置にある出力装置を示す斜視図である。
【図６】バックルがロック解除位置にある出力装置を示す斜視図である。
【図７】ケース体を滑り止めシートを分離した状態で示す斜視図である。
【図８】バックルがロック解除位置にある状態を示す拡大断面図である。
【図９】バックルがロック位置にある状態を示す拡大断面図である。
【図１０】ケース体を携帯用機器とともに示す斜視図である。
【図１１】蓋体の斜視図である。
【図１２】操作シートの拡大斜視図である。
【図１３】操作シートの拡大断面図である。
【図１４】操作シートの表面部を示す拡大背面図である。
【図１５】操作シートの表面部を示す拡大断面図である。
【図１６】操作シートの表面部のドットの配列が異なる例を示す拡大背面図である。
【図１７】操作シートの表面部のドットが離隔して配列された例を示す拡大背面図である。
【図１８】操作シートの表面部の別の例を示す拡大背面図である。
【図１９】操作シートの表面部のまた別の例示す拡大背面図である。
【図２０】蓋体が閉塞位置に回動され携帯用機器が操作シートに押さえられた状態を示す断面図である。
【図２１】携帯用機器が操作シートに押さえられた状態を図２０とは直交する方向から見た状態で示す拡大断面図である。
【図２２】コネクターが接続された携帯用機器が収納凹部に配置された状態を示す斜視図である。
【図２３】携帯用機器に対する操作シートのドットの接触状態を示す拡大断面図である。
【図２４】蓋体が開放位置から閉塞位置へ向けて回動され係止突部の第１の傾斜面が被係止突部の第１の斜面に接した状態を示す断面図である。
【図２５】蓋体が開放位置から閉塞位置へ向けてさらに回動され係止爪と被係止片が弾性変形されて係止爪が被係止片に乗り上げた状態を示す断面図である。
【図２６】係止爪と被係止片が弾性復帰されて蓋体がケース体に対してロックされた状態を示す断面図である。
【図２７】操作シートの外側から携帯用機器の操作部が操作されている状態を示す斜視図である。
【符号の説明】
【０１１３】
１…出力装置、２…ケース体、３…蓋体、１２…収納部、１３…収納用リブ、１４…収納凹部、１４ａ…載置面、３０…操作シート、３１…表面部、３１ａ…押さえ面部、３１ｂ…傾斜面部、３１ｃ…傾斜面部、３２…周面部、３４…ドット、３４Ａ…ドット、３４Ｂ…ドット、５００…携帯用機器
【図１】
2012045153.tif 000003
【図２】
2012045153.tif 000004
【図３】
2012045153.tif 000005
【図４】
2012045153.tif 000006
【図５】
2012045153.tif 000007
【図６】
2012045153.tif 000008
【図７】
2012045153.tif 000009
【図８】
2012045153.tif 000010
【図９】
2012045153.tif 000011
【図１０】
2012045153.tif 000012
【図１１】
2012045153.tif 000013
【図１２】
2012045153.tif 000014
【図１３】
2012045153.tif 000015
【図１４】
2012045153.tif 000016
【図１５】
2012045153.tif 000017
【図１６】
2012045153.tif 000018
【図１７】
2012045153.tif 000019
【図１８】
2012045153.tif 000020
【図１９】
2012045153.tif 000021
【図２０】
2012045153.tif 000022
【図２１】
2012045153.tif 000023
【図２２】
2012045153.tif 000024
【図２３】
2012045153.tif 000025
【図２４】
2012045153.tif 000026
【図２５】
2012045153.tif 000027
【図２６】
2012045153.tif 000028
【図２７】
2012045153.tif 000029